(57)【特許請求の範囲】
【請求項１】
先端に消火ノズルを接続した消火配管の中に、
前記消火ノズル側から挿入され後端側が消火ノズル側に固定される屈曲性をもつ円筒体と、
前記円筒体内部に配置され前記円筒体内径よりも小さい外径を有し、流入側の端面が開口されて前記円筒体の先端に固定され、前記円筒体後端側に延びて流出側を閉鎖した筒形袋形状のストレーナろ過部材と、
を配置したことを特徴とする消火設備用ストレーナ装置。
【請求項２】
請求項１記載の消火設備用ストレーナ装置に於いて、前記ストレーナろ過部材は、消火用水の散水時に予想される所定量のゴミの流入に対し、前記消火ノズルの開口面積の２倍を越える有効ろ過面積を確保する前記円筒体との隙間及び管路方向の長さを有することを特徴とする消火設備用ストレーナ装置。
【請求項３】
請求項１又は２記載の消火設備用ストレーナ装置に於いて、前記ストレーナろ過部材は、金属網網部材で構成され、前記金属網は上下及び左右方向に撓み変形自在な網目構造を備えたことを特徴とする消火設備用ストレーナ装置。
【請求項４】
請求項１又は２記載の消火設備用ストレーナ装置に於いて、前記ストレーナろ過部材は、上下及び左右方向に撓み変形自在な網目構造を備えた合成樹脂製又は合成繊維製の網部材で構成されたことを特徴とする消火設備用ストレーナ装置。
【請求項５】
請求項１又は２記載の消火設備用ストレーナ装置に於いて、前記ストレーナろ過部材は、合成樹脂製の円筒枠体と、該円筒枠体の流入側端面及び円筒面に装着された合成樹脂製又は合成繊維製の網部材で構成されたことを特徴とする消火設備用ストレーナ装置。
【請求項６】
請求項１又は２記載の消火設備用ストレーナ装置に於いて、前記円筒体は金属管で構成され、前記金属管は、上下及び左右方向に撓み変形自在なベローズ構造を備えたことを特徴とする消火設備用ストレーナ装置。
【請求項７】
請求項１又は２記載の消火設備用ストレーナ装置に於いて、前記円筒体は合成樹脂製の円筒体で構成され、前記合成樹脂製の円筒体は、上下及び左右方向に撓み変形自在なベローズ構造を備えたことを特徴とする消火設備用ストレーナ装置。
【請求項８】
請求項１乃至７のいずれかに記載の消火設備用ストレーナ装置に於いて、消火ノズルの消火配管取付ネジ部に前記円筒体の開口側を固定したことを特徴とする消火設備用ストレーナ装置。
【請求項９】
請求項１乃至７のいずれかに記載の消火設備用ストレーナ装置に於いて、消火ノズルと消火配管の接続に使用される継手管に前記円筒体の開口側を固定したことを特徴とする消火設備用ストレーナ装置。
【請求項１０】
請求項１乃至９のいずれかに記載の消火設備用ストレーナ装置に於いて、前記消火ノズルは、スプリンクラーヘッド、走査型スプリンクラーヘッド、泡ヘッド、微噴霧ヘッド又はトンネル用水噴霧ヘッドを含むことを特徴とする消火設備用ストレーナ装置。
【発明の詳細な説明】
【０００１】
【発明の属する技術分野】
本発明は、消火設備の消火配管に設けられた消火ノズルに供給する消火用水に含まれるゴミを除去するための消火設備用ストレーナ装置に関する。
【０００２】
【従来の技術】
従来、この種の消火設備に用いるストレーナ装置としては、例えば図１０に示すものがある。ストレーナ本体１０１は、フランジ１０２，１０３によって消火用配管の主管部分に接続される。ストレーナ本体１０１の中には図１１の断面図のように、金属円筒体に網穴を打ち抜き形成したこし網１０４が収納されている。
【０００３】
消火用水は、ストレーナ本体１０１内のこし網１０４を通過しながら矢印で示す方向に流れ、消火配管内のゴミなどは、こし網１０４により、瀘過される。こし網１０４は、ボルト１０５により蓋１０６を外すことで、外に取り外して清掃することができる。
【０００４】
また消火ノズルとしては、図１２に示すようなものがある（特開平５−７６３３号）。図１２は、ヒュージブルリンク式の消火ノズルであり、ノズル本体１１６は消火用配管１１５にねじ込まれている。ノズル本体１１６には、放出口１１７が形成され、放出口１１７に設けられた栓１１８と、デフレクター１１９との間に、一対のレバー１１０Ａ，１１０Ｂを接触点１１１Ａ，１１１Ｂ，１１１Ｃによって係止し、栓１１８を閉鎖状態に支持している。レバー１０Ａとレバー１１０Ｂは、感熱体としてのヒューズ１１３で固着された一対のリンク１１２が装着され、栓１１８の閉鎖状態を維持している。
【０００５】
火災の発生による温度上昇でヒューズ１１３が溶けると、一対のリンク１１２が矢印で示すように分解し、レバー１１０Ａ，レバー１１０Ｂの係止が解除され、水圧によってレバー１１０Ａ，レバー１１０Ｂがはじけ、放出口１１７から噴出し、散水が開始される。このとき、放出口１１７から噴出した水は、デフレクター１１９に当たって防護範囲全体に均一に散水される。
【０００６】
【発明が解決しようとする課題】
このような従来の消火設備において、ストレーナ装置は、主に消火用配管の主管部分に挿入され、定期的に点検・清掃することになっている。しかしながら、消火設備の消火用配管は、火災に備え常に消火用水が加圧された状態で満たされているものの、常に流れていないため、錆などが徐々に発生することがある。
【０００７】
このため火災により消火ノズルが作動した場合、ノズル付近の消火配管内に発生した錆や、設置時に混入した消火配管の切削カス、溶接カス、シールテープカスなどがデフレクターに付着し、その影響で、期待した放水範囲を防護できず、消火設備が有効に機能できないという問題があった。
【０００８】
この問題を解決するため、消火ノズルそのものにストレーナ装置を設けたものも存在する。例えば図１２の消火ノズルを例にとると、消火配管１１５に接続するノズル本体１１６の内部にストレーナ装置を設けることが考えられる。しかし、ストレーナ装置を設けることのできる消火ノズル内部のスペースは制限されており、ストレーナ装置に必要な十分なろ過面積を確保することが困難である。
【０００９】
このため消火用水に含まれるゴミなどによってストレーナ装置が短時間で目詰りを起し、消火ノズルからの散水量が減少して消火性能が低下する恐れがあった。
【００１０】
本発明は、このような従来の問題点に鑑みてなされたもので、消火ノズル側に設けても十分な有効ろ過面積を確保することで目詰りに強い消火設備用ストレーナ装置を提供することを目的とする。
【００１１】
【課題を解決するための手段】
この目的を達成するため本発明は次のように構成する。本発明の消火設備用ストレーナ装置は、先端に消火ノズルを接続した消火配管の中に、流入側の端面が開口され流出側を閉鎖した筒形袋形状のストレーナろ過部材と、前記ストレーナろ過部材を内部に固定した屈曲性をもつ円筒体を配置したことを特徴とする。ここで、ストレーナろ過部材は、消火用水の散水時に予想される所定量のゴミの流入に対し、消火ノズルの開口面積の２倍を越える有効ろ過面積を確保する円筒体との隙間及び管路方向の長さを有する。
【００１２】
このような本発明の消火設備用ストレーナ装置によれば、消火配管内のゴミが消火ノズルに侵入しないため、目詰まりなどにより消火ノズルの機能に支障をきたすことがない。またストレーナろ過部材を消火ノズルを接続している消火配管の中に位置させることで、十分に長くすることができ、相当量のゴミが配管内部に堆積したとしても、消火ノズルの性能に必要な有効瀘過面積を確保し、長期にわたり信頼性を確保できる。
【００１３】
特に、消火配管の先端を９０度屈曲して消火ノズルを接続している場合にあっても、ストレーナろ過部材は屈曲性をもっているため、屈曲した配管内にも撓み変形して容易に配置できる。
【００１４】
更に、ストレーナろ過部材を円筒体の中に収納しているため、ストレーナろ過部材の網目が露出せず、消火配管に指し入れる組立時にストレーナろ過部材を傷付けることがない。
【００１５】
ストレーナろ過部材は、例えば金属網で構成され、この金属網は上下左右方向に撓み変形自在な網目構造、例えばバイアス織り構造を備える。またストレーナろ過部材は、合成樹脂性の円筒枠体と、円筒枠体の流入側端面及び円筒面に装着された合成樹脂製又は合成繊維製の網部材で構成することもできる。
【００１６】
この場合、円筒枠体は、流入側の端面に、消火配管にストレーナろ過部材を嵌め入れる際に案内する案内片を形成し、屈曲配管であっても容易に装着可能とする。
【００１７】
円筒体は、金属管で構成され、金属管は、上下及び左右方向に撓み変形自在なベローズ構造を備える。また円筒体は合成樹脂製の円筒体で構成され、合成樹脂製の円筒体は、上下及び左右方向に撓み変形自在なベローズ構造を備える。
【００１８】
円筒体は、消火ノズルの消火配管取付ネジ部に開口側を固定する。また円筒体は、消火ノズルと消火配管の接続に使用される継手管に開口側を固定してもよい。
【００１９】
【発明の実施の形態】
図１は本発明による消火設備用ストレーナ装置の実施形態の説明図であり、図１（Ａ）に監視状態を示し、図１（Ｂ）に火災による熱を受けて動作した状態をを示す。
【００２０】
図１（Ａ）において、消火設備から防護区画に引き出された消火配管５の先端には、継手管６を介して消火ノズル７が取り付けられている。消火ノズル７は配管取付ネジ部８に継手管６をねじ込み固定しており、流入路７ａに下方より栓９を挿入して流路を閉鎖しており、栓９の閉鎖状態は消火ノズル７の下部に突出して設けた感熱分解部１０により支持固定されている。
【００２１】
感熱分解部１０が火災による熱を受けて脱落分解すると、図１（Ｂ）のように内部に保持していたヘッド１１が下降し、このヘッド１１の下降に伴い、流入路７ａを閉鎖していた栓９が下降して流路を開くようになる。ヘッド１１は消火用水を防護範囲全域の内の所定部分に集中的に散水するものであり、消火ノズル７内に通る消火用水の水流の力を利用してヘッド１１が回転し防護範囲全域の放水を行う消火用水ノズルである。
【００２２】
消火ノズル７の配管取付ネジ部８の流入路側には、本発明によるストレーナ装置１が装着されている。ストレーナ装置１は、円筒体２とストレーナろ過部材３で構成される。ストレーナろ過部材３は上下及び左右方向に撓み変形自在な金属網、合成樹脂製又は合成繊維製の網部材で構成された筒形袋状の部材である。
【００２３】
円筒部材２は、ストレーナろ過部材３を内部に固定した屈曲性をもつ円筒体であり、流入側端部２ａ及び流出側端部２ｂを開口している。この円筒体２は金属管又は合成樹脂製であり、上下及び左右方向に撓み変形自在なベローズ構造をもっている。
【００２４】
更に円筒体２の流出側端部２ｂには、リング状のストレーナ取付部４が固着され、このストレーナ取付部４を消火ノズル７の配管取付ネジ部８の開口部に例えば圧入することで、消火ノズル７の流入側にストレーナ装置１が固定される。
【００２５】
ここで円筒部材２によって配管内に配置された網目構造をもつストレーナろ過部材３は、消火用水の散水時に予想される所定量のゴミの流入に対し、消火ノズル７における栓９を装着した流入路７ａの開口面積の２倍を越える有効ろ過面積を確保する円筒体２との隙間及び管路方向の長さＬを有する。
【００２６】
例えば、ストレーナ瀘過部材３の長さＬは、消火ノズル７における栓９を装着した流入路７ａの開口面積に対し約３０倍となるように決めており、例えばＬ＝３００ｍｍ程度の長さを持っている。
【００２７】
図２は、図１のストレーナ装置１を構成するストレーナ瀘過部材３に金属網を使用した場合の網目構造を拡大して取り出している。図２（Ａ）は、ストレーナ瀘過部材３の一部を拡大しており、この実施形態にあっては、金属網として平織金網１２を使用している。この平織金網１２は、例えば金網の線径が０．１〜０．３ｍｍφ、２．５４ｃｍ当たり（１インチ当たり）の線数を２０〜３０本、網目の開口穴面積比を４０〜６０％とする。
【００２８】
更に、平織金網１２を構成する縦線と横線が図示のように左右斜め４５度方向に交差するように配置したバイアス織りとし、交差点の金網同士はくっついておらず、自由に動ける状態で接触しているので、図２（Ｂ）（Ｃ）のように、上下方向及び左右方向の応力に対し金網自体がある程度撓むことができる。
【００２９】
この結果、消火ノズルを接続している消火配管が屈曲していても、撓み変形する網目構造のストレーナ瀘過部材３を屈曲性をもった円筒体２の内部に配置している本発明のストレーナ装置１を、屈曲した配管内に挿入して配置することができる。
【００３０】
図３は、消火ノズルを消火配管に対し９０度屈曲した位置に設置した場合の本発明の実施形態である。この実施形態にあっては、水平配置された消火配管５の先端にエルボ継手管１３を介して９０度屈曲する方向に消火ノズル１４を接続している。消火ノズル１４は、図１２の従来例に示したと同じヒュージブルリンク式の消火ノズルを例にとっている。
【００３１】
この消火ノズル１４についても、内部にストレーナ瀘過部材３を配置したストレーナ装置１の円筒体２が、流出側端部２ｂに設けたストレーナ取付部４を消火ノズル１４の配管取付ネジ部１５の内側に固定され、円筒体２及びストレーナ瀘過部材３はエルボ継手管１３の部分で９０度屈曲され、水平配置された消火配管５の中に位置している。
【００３２】
このようにストレーナ装置の円筒体２及びストレーナ瀘過部材３が９０度屈曲した状態で配置されても、円筒体２が屈曲性のあるベローズ構造をもち、またストレーナろ過部材３が図２（Ａ）〜（Ｃ）のように上下左右の応力に対し平織金具１２を用いた網目部分は菱形の網目形状を変化させることで変形し、ストレーナ瀘過部材３の筒形袋形状を維持したまま潰れることなく、９０度屈曲した状態で配管内に配置することができる。
【００３３】
更に、ストレーナろ過部材３を円筒体２の中に収納しているため、ストレーナろ過部材３の網目が配管内に露出せず、消火配管５にストレーナ装置１を押し込む組立時にストレーナろ過部材３を傷付けることがない。
【００３４】
この図３の実施形態においても、円筒体２の中に屈曲状態で配置されたストレーナ瀘過部材３の中心線の配管内の長さＬが、図１の場合と同様、消火ノズル１４の開口部１４ａの開口面積の約３０倍となるように、例えばＬ＝３００ｍｍ程度の長さとしている。
【００３５】
次に図１もしくは図３に示した本発明のストレーナ装置１の機能を説明する。本願発明者にあっては、消火設備を使用した実験で、図３のようにストレーナ装置１を内蔵した消火ノズルを５ヶ所に設置し、配管内部にゴミが存在する状態で５ヶ所に設けた消火ノズルから９０秒間放水を行った。この放水により各消火ノズルの配管内部には約１１１〜８２９ｍｍ3 の容積のゴミが流入し、ゴミの総容積は約２５９６ｍｍ3 であった。
【００３６】
この放水実験にあっては、５ヶ所の消火ノズルからの散水量に特に変化は見られず、消火ノズルにゴミが流入しても本発明のストレーナ装置１により流入したゴミが除去され、且つストレーナ装置１にゴミが付着しても十分な有効瀘過面積が確保され、消火ノズルからの散水量に変化が起きないことが確認された。
【００３７】
この放水実験では５ヶ所の消火ノズルから放水しているが、同じゴミ総容量に対し１ヶ所の消火ノズルから放水して約２５９６ｍｍ3 のゴミ総容量が一度に流入したとしても、消火ノズルの口径面積の約３０倍の有効瀘過面積が初期状態で確保されており、ゴミが流入した後も消火ノズルの口径面積の約８．４倍の有効瀘過面積が確保された。
【００３８】
実際の消火にあっては、消火ノズルの口径面積の約２倍の有効瀘過面積が確保できれば消火ノズルの性能を維持することができ、この結果、本発明のストレーナ装置１にあっては、消火ノズル側に設置してもゴミの流入に対し問題なくノズルの消火性能を確保することが確認された。
【００３９】
図４は本発明の他の実施形態となるゴム製のストレーナ装置で使用するゴム製ストレーナ瀘過部材１７を部分的に取り出している。このゴム製のストレーナ装置１は、図１，図３に示したと同じ金属製造又は合成樹脂製のストレーナ装置１と基本的に同じ構造を備え、円筒体２とストレーナろ過部材１７はゴムで一体に形成されている。
【００４０】
ゴム製のストレーナ瀘過部材１７は、例えば開口面積が４０〜６０％となるように網目開口２２を備えている。このゴム製のストレーナ瀘過部材１７を円筒体２の中に配置したストレーナ装置１は、ゴム製の円筒体２及びストレーナ瀘過部材１７は屈曲性を有することから、図３のような屈曲配管に対する組付けも容易にでき、配管内の消火用水の中に長期間に亘って組み込まれていても、耐腐食性、耐薬品性が十分に確保され、火災時のゴミの流入に対し瀘過機能を確実に果たすことができる。
【００４１】
図５は合成樹脂製のストレーナ装置の実施形態であり、この実施形態にあっては、円筒体２を合成樹脂製の管部とベローズの連設構造としたことを特徴とする。
【００４２】
図５において、消火ノズル１４は継手管６を介して消火配管５の先端に接続されており、消火ノズル１４の内部流入側に合成樹脂製のストレーナ装置１が配置されている。このストレーナ装置１は、合成樹脂製の円筒体２の内部に合成樹脂製又は合成繊維製の網目構造をもったストレーナろ過部材３を配置している。
【００４３】
円筒体２は、合成樹脂製のストレーナ取付部４に続いて管部２２とベローズ部２４を交互に連設した構造としている。即ち、ストレーナ取付部４は円筒形状をもち、配管取付ねじ部１５の中に圧入固定されている。
【００４４】
この円筒体２の作り型は、円筒体２を成型する金型の中に、合成樹脂製又は合成繊維製の網目構造をもったストレーナろ過部材３をセットし、この状態でストレーナ取付部４、各管部２２及びベローズ部２４を射出成形することで一体に作られる。ストレーナろ過部材３に使用する合成樹脂製又は合成繊維製の網目シートは、例えば１インチ当り３０〜５０メッシュ（＃３０〜＃５０）程度のものを使用する。
【００４５】
ストレーナ装置１の複数箇所に形成されたベローズ部２４は、管部２２を円筒形状に保持すると共に、消火配管５が図３のように屈曲している場合に、長手方向に湾曲させる。
【００４６】
この図５の合成樹脂製のストレーナ装置１によれば、定常監視状態で閉鎖状態にある消火ノズル１４に対する消火用水が充満された配管内にストレーナ装置１が配置されており、長期間にわたって消火用水の中に置かれても、合成樹脂で作られていることから、耐腐食性、耐薬品性が確保され、網目構造をもつストレーナろ過部材３が破損したり破れたりすることなく、火災時の消火用水の流入に対しゴミを除去する瀘過機能を確実に果たすことができる。
【００４７】
図６は本発明のストレーナ装置を泡消火設備の泡ヘッド（フォームヘッド）に適用した実施形態である。
【００４８】
図６において、駐車場等に設置される泡消火設備の泡ヘッド３０は継手管６を介して泡消火配管５ａの先端に接続されており、泡ヘッド３０の内部流入側には図１と同じ構造のストレーナ装置１が配置されている。
【００４９】
このストレーナ装置１は、ベローズ構造によって屈曲性をもった金属製又は合成樹脂製の円筒体２の内部に、金属網、合成樹脂製又は合成繊維製の網目構造をもったストレーナろ過部材３を配置している。
【００５０】
泡ヘッド３０は、ヘッド本体３１のノズル穴３２の開口部に発泡網３３，３４を二重に配置している。火災時には泡消火配管５ａから所定の比率で泡消火薬剤を消火用水に混合した泡消火用水が加圧供給され、ストレーナ装置１の円筒体２の内部に配置したストレーナろ過部材３を通過する際にゴミが除去され、泡ヘッド３０から放出する際に発泡網３３，３４の部分で空気の巻き込みで発泡した泡を放出する。
【００５１】
図７は本発明のストレーナ装置を微噴霧ヘッドに適用した実施形態である。
【００５２】
図７において、コンピュータルーム等の水損を回避した防護区画に設置される微噴霧消火設備の微噴霧ヘッド４０は継手管６を介して消火配管５の先端に接続されており、継手管６には、図１と同じ構造のストレーナ装置１が配置されている。
【００５３】
このストレーナ装置１は、ベローズ構造によって屈曲性をもった金属製又は合成樹脂製の円筒体２の内部に、金属網、合成樹脂製又は合成繊維製の網目構造をもったストレーナろ過部材３を配置している。
【００５４】
微噴霧ヘッド４０は、ヘッド本体４１の流入路４１に続いてノズル穴４２を形成し、またガス流入口４３に続いてノズル穴４４を形成し、更に下部にデフレクタ４５を配置している。
【００５５】
火災時には消火配管５から消火用水が加圧供給され、同時にガス流入口から二酸化炭素ガスや窒素ガス等の不燃性ガスが高圧で供給され、ノズル穴４２から噴出される消火用水をノズル穴４４からの高圧ガスの噴射でミクロンオーダの微噴霧に変換し、下部の火源に向けて微噴霧を降り注いで消火する。
【００５６】
このとき消火配管５からの消火用水は、ストレーナ装置１の円筒体２の内部に配置したストレーナろ過部材３を通過する際にゴミが除去され、微噴霧ヘッド４０のノズル穴４２にゴミが詰って消火不能となったり消火性能が低下することを確実に防止する。
【００５７】
図８は本発明のストレーナ装置をトンネル用水噴霧ヘッドに適用した実施形態である。
【００５８】
図８において、自動車専用トンネルに設置されるトンネル用水噴霧ヘッド５０は継手管６を介して消火配管５の先端に接続されており、消火配管５は更に消火本管５５に分岐接続されている。
【００５９】
図９は、トンルル消火設備の説明図であり、トンネル路面５８上には破線の車両通行空間５８が形成され、この外側の斜め情報に位置するトンネル壁面５６側にトンネル用水噴霧ヘッド５０を配置している。このトンネル用水噴霧ヘッド５０は、下部から壁面に沿って立ち上げた消火本管５５に接続されている。
【００６０】
火災時におけるトンネル用水噴霧ヘッド５０からの水の噴霧は、車両通行空間５８全体をカバーする散布パターン５７となる。この散布パターン５７を得るため、トンネル用水噴霧ヘッド５０は、図８のように、上ノズル５２と下ノズル５３の２つを設けている。
【００６１】
トンネル用水噴霧ヘッド５０の流入側配管内には、破線で示すように、図１と同じ構造のストレーナ装置１が配置されている。即ち、ストレーナ装置１は、図１に示したように、ベローズ構造によって屈曲性をもった金属製又は合成樹脂製の円筒体２の内部に、金属網、合成樹脂製又は合成繊維製の網目構造をもったストレーナろ過部材３を配置している。
【００６２】
このため火災時に消火配管５からの消火用水は、ストレーナ装置１の円筒体２の内部に配置したストレーナろ過部材３を通過する際にゴミが除去され、トンネル用水噴霧ヘッド５０の上ノズル５２及び下ノズル５３のゴミによる詰りや消火性能の低下を防止する。
【００６３】
尚、上記の実施形態は、ストレーナ装置の円筒体の中に配置する網目構造を持ったストレーナ瀘過部材の配管内の長さＬを、消火ノズル側の口径面積の約３０倍となる有効瀘過面積が確保できるように決めているが、本発明はこれに限定されず、ストレーナ装置１のストレーナ瀘過部材３を内部に配置した円筒体２が、消火ノズル側もしくは消火ノズル側に位置する継手管に端部を固定し、この片持状態で配管内に延在して位置している構造であれば、配管内でのストレーナろ過部材３の長さＬは必要に応じて適宜に定めることができる。
【００６４】
また本発明は、実施形態に示した消火ヘッド消火ノズルの形式や構造に限定されないことはもちろんである。
【００６５】
【発明の効果】
以上説明してきたように本発明によれば、消火ノズル側にストレーナ装置を設けたことで消火配管内のゴミが消火ノズルに侵入せず、ノズル内での目詰まりやノズルの機能に支障を起こすことなく、高い信頼性が得られる。
【００６６】
また円筒体の内部に収納したストレーナ瀘過部材を消火ノズルを接続している消火配管の内部に位置させることで、ろ過に必要な十分な長さを確保することができ、相当量のゴミが流入しても目詰まりを起こすことなく、消火ノズルの性能に十分な有効瀘過面積を確保することができ、長期に亘り信頼性を確保できる。
【００６７】
更に消火配管の先端を９０度屈曲して消火ノズルを接続している場合にあっても、ストレーナ瀘過部材を収納している円筒体は屈曲性をもっているため、屈曲した配管内にも撓み変形して容易に設置することができる。
【００６８】
更に円筒体を合成樹脂もしくはゴムで成形し、ストレーナ瀘過部材を合成樹脂、合成繊維もしくはゴムで成形することで、耐腐食性と耐薬品性を向上することができる。
【００６９】
更に、ストレーナろ過部材を円筒体の中に収納しているため、ストレーナろ過部材の網目が露出せず、消火配管に差し入れる組立時にストレーナろ過部材を傷付けることがない。
【図面の簡単な説明】
【図１】本発明による消火設備用ストレーナ装置の実施形態の説明図
【図２】図１のストレーナ瀘過部材に使用する金網構造の説明図
【図３】本発明による消火設備用ストレーナ装置を消火配管の屈曲部分に使用した実施形態の説明図
【図４】本発明の消火設備用ストレーナ装置をゴム製とした場合のストレーナ瀘過部材の網目部分の説明図
【図５】本発明による合成樹脂製の消火設備用ストレーナ装置の実施形態の説明図
【図６】本発明のストレーナ装置を泡ヘッドに適用した実施形態の説明図
【図７】本発明のストレーナ装置を微噴霧ヘッドに適用した実施形態の説明図
【図８】本発明のストレーナ装置をトンネル用水噴霧ヘッドに適用した実施形態の説明図
【図９】図８のトンネル用水噴霧ヘッドが設置されたトンネル消火設備の説明図
【図１０】消火配管の本管部分に設置される従来のストレーナ装置の説明図
【図１１】図１０のストレーナ装置の断面図
【図１２】従来の消火ノズルの説明図
【符号の説明】
１：ストレーナ装置
３：円筒体
３：ストレーナろ過部材
４：ストレーナ
５：消火配管
５ａ：泡消火配管
６：継手管
７，１４：消火ノズル
８，１５：配管取付ねじ部
９：栓
１０：感熱分解部
１１：ヘッド
１２：平織り金網
１３：エルボ継手管
１４：消火ノズル
１６：デフレクタ
１７：ゴム製ストレーナろ過部材
１８：網目開口
２２：管部
２４：ベロース部
３０：泡ヘッド
４０：微噴霧ヘッド
５０：トンネル用水噴霧ヘッド
【図１】
0004020287.tif 000002
【図２】
0004020287.tif 000003
【図３】
0004020287.tif 000004
【図４】
0004020287.tif 000005
【図５】
0004020287.tif 000006
【図６】
0004020287.tif 000007
【図７】
0004020287.tif 000008
【図８】
0004020287.tif 000009
【図９】
0004020287.tif 000010
【図１０】
0004020287.tif 000011
【図１１】
0004020287.tif 000012
【図１２】
0004020287.tif 000013